(57)【特許請求の範囲】
【請求項１】
交流電源電圧を整流する整流電源を備え、前記整流電源からの直流出力を入力して電圧可変の直流電力を出力するＤＣ−ＤＣコンバータを備え、該ＤＣ−ＤＣコンバータからの直流出力を入力して高周波電力を出力するインバータを備え、前記インバータからの高周波出力により点灯する放電ランプを含む負荷回路を備え、前記放電ランプの電圧を監視して異常状態を検知するランプ電圧検知回路を備え、前記ランプ電圧検知回路のランプ異常信号を受け前記ＤＣ−ＤＣコンバータの出力電圧を制限する制御回路を備えた放電灯点灯装置において、前記ＤＣ−ＤＣコンバータの出力電圧を監視して前記ＤＣ−ＤＣコンバータの出力電圧上昇の異常状態を前記ＤＣ−ＤＣコンバータの出力電圧の分圧電圧でスイッチングダイオードがオンすることにより検知するコンバータ電圧検知回路を備え、前記コンバータ電圧検知回路のコンバータ異常信号を受け前記ＤＣ−ＤＣコンバータの出力電圧を制限する制御回路を前記制御回路で兼用することを特徴とする放電灯点灯装置。
【発明の詳細な説明】
【０００１】
【発明の属する技術分野】
本発明はＤＣ−ＤＣコンバータを備え、かつＤＣ−ＡＣ変換を行うインバータを備える放電灯点灯装置に関するものである。特にその異常時保護に関するものである。
【０００２】
【従来の技術】
図２に示す従来の放電灯点灯装置について説明する。図２装置は交流電源１１電圧を整流する整流電源１０を備える。前記整流電源１０からの直流出力を入力して電圧可変の直流電力を出力するＤＣ−ＤＣコンバータ２０を備える。前記ＤＣ−ＤＣコンバータ２０からの直流出力を入力して高周波電力を出力するインバータ３０を備える。前記インバータ３０からの高周波出力により点灯する放電ランプを含む負荷回路４０を備える。前記放電ランプの電圧を監視して異常状態を検知するランプ電圧検知回路８０を備える。ランプ電圧検知回路８０のランプ異常検知信号を受けＤＣ−ＤＣコンバータ２０の出力電圧を制限する制御回路６０を備える。
【０００３】
ＤＣ−ＤＣコンバータ２０は、整流電源１０のプラス側より昇圧用インダクタ２２・整流ダイオード２４・平滑コンデンサ２６を介して整流電源１０のマイナス側へ接続する回路を含む。また、昇圧用インダクタ２２・整流ダイオード２４の接続点と整流電源１０のマイナス側との間のスイッチング素子２３および該スイッチング素子２３のドライブ回路２５を含む。さらに平滑コンデンサ２６と並列に直列接続された抵抗２７・２８とその中点およびドライブ回路２５間を結ぶ配線を含む。ドライブ回路２５は抵抗２７・２８の中点電圧を所定の基準電圧と等しくなるようにスイッチング素子２３のオン・オフ周期を制御する。中点電圧が基準電圧より低くなると、ドライブ回路２５はＤＣ−ＤＣコンバータ２０出力電圧を上げるように働き、逆に基準電圧より高くなるとＤＣ−ＤＣコンバータ２０出力電圧を下げるように働く。
【０００４】
ランプ電圧検知回路８０がランプ異常を検知してランプ異常信号を出力すると、該信号が制御回路６０に属するサイリスタ６１のゲートに入力される。それにより、サイリスタ６１は導通し、トランジスタ６４が導通する。これにより直流電源６６の電圧がダイオード６５を介して抵抗２７・２８の中点に印可される。ここで直流電源６６電圧を前記基準電圧より高く設定しておくと、制御回路２５はＤＣ−ＤＣコンバータ２０出力電圧を下げるように働き、ＤＣ−ＤＣコンバータ２０出力電圧は整流電源１０電圧（瞬時値）のピーク値まで下がる。
【０００５】
【発明が解決しようとする課題】
前記従来の図２装置においては、抵抗２７が断線などのオープンモードで故障したときに、抵抗２７・２８の中点電圧はゼロになる。これにより、制御回路２５はＤＣ−ＤＣコンバータ２０出力電圧を上げるように働き、ＤＣ−ＤＣコンバータ２０出力電圧は過大値となる。その後の変化の一例は平滑コンデンサ２６の定格電圧を超えてそれに付属する保護圧力弁が動作することである。抵抗２８の断線は逆の傾向の安全サイドの故障であり、問題は少ない。しかし、抵抗２７の断線は不安全サイドの故障であり、困る。
本発明の目的は、不安全サイドの故障時にもＤＣ−ＤＣコンバータの出力電圧を下げて保護する放電灯点灯装置を提供することである。
【０００６】
【課題を解決するための手段】
本発明は、ＤＣ−ＤＣコンバータの出力電圧を監視して異常状態を検知するコンバータ電圧検知回路を備える。前記コンバータ電圧検知回路のコンバータ異常信号を受け前記ＤＣ−ＤＣコンバータの出力電圧を制限する制御回路を、ランプ異常信号を受け前記ＤＣ−ＤＣコンバータの出力電圧を制限する制御回路と兼用する。つまり、コンバータ異常信号をランプ異常信号と見なす。
【０００７】
【発明の実施の形態】
図１を用いて本発明の実施形態について説明する。この説明に前記図２の部品符号および用語をそのまま転用し、重複する説明の一部を適宜に割愛する。本発明に係る図１の放電灯点灯装置は、交流電源１１電圧を整流する整流電源１０を備える。整流電源１０からの直流出力を入力して電圧可変の直流電力を出力するＤＣ−ＤＣコンバータ２０を備える。ＤＣ−ＤＣコンバータ２０からの直流出力を入力して高周波電力を出力するインバータ３０を備える。インバータ３０からの高周波出力により点灯する放電ランプを含む負荷回路４０を備える。放電ランプの電圧を監視して異常状態を検知するランプ電圧検知回路８０を備える。ランプ電圧検知回路８０のランプ異常信号を受けＤＣ−ＤＣコンバータ２０の出力電圧を制限する制御回路６０を備える。
ＤＣ−ＤＣコンバータ２０の出力電圧を監視して異常状態を検知するコンバータ電圧検知回路７０を備える。コンバータ電圧検知回路７０のコンバータ異常信号を受けＤＣ−ＤＣコンバータ２０の出力電圧を制限する制御回路を前記制御回路６０で兼用する。
【０００８】
制御回路６０は次のようなものである。直流電源６６のプラス側にトランジスタ６４のエミッタ端子を接続し、該トランジスタ６４のコレクタ端子をダイオード６５を介して抵抗２７・２８の中点にする。トランジスタ６４のエミッタ端子・ベース端子間に抵抗６２を接続する。ベース端子は抵抗６３・サイリスタ６１を介して直流電源６６のマイナス側に接続される。サイリスタ６１のゲート端子は、ランプ電圧検知回路８０の信号出力側に接続される。直流電源６６のマイナス側は整流電源１０のマイナス側に接続されている。
コンバータ電圧検知回路７０は次のようなものである。平滑コンデンサ２６と並列に直列接続される抵抗７１・７２の中点にスイッチングダイオード７３のカソード端子を接続し、そのアノード端子をサイリスタ６１のゲート端子に接続する。図２同様に抵抗２７・２８の中点電圧はドライブ回路２５により所定の基準電圧と一致するようにドライブされる。ランプ電圧検知回路８０がランプ異常を検知し、ランプ異常信号を出力すると、サイリスタ６１が導通しかつトランジスタ６４が導通する。これにより直流電源６６電圧がダイオード６５を介して抵抗２７・２８の中点に印加される。ここで直流電源６６電圧を前記基準電圧より高く設定しておくと、ドライブ回路２５はＤＣ−ＤＣコンバータ２０出力電圧を下げるように働き、該出力電圧は整流電源１０電圧のピーク値まで下がる。
【０００９】
一方、何らかの故障（抵抗２７の断線のオープンモード等）でＤＣ−ＤＣコンバータ２０の出力電庄が上昇すると、コンバータ電圧検知回路７０の抵抗７１・７２で分圧される電圧が上昇し、スイッチングダイオード７３がオンする。これがコンバータ異常信号出力状態に相当する。その場合もサイリスタ６１が導通し前記同様となる。結果的には保護の観点から見ると、コンバータ異常信号出力時はランプ異常信号出力時と同様となる。
【００１０】
【発明の効果】
本発明は、ＤＣ−ＤＣコンバータの出力電圧を監視して異常状態を検知するコンバータ電圧検知回路７０を備え、前記コンバータ電圧検知回路７０のコンバータ異常信号をランプ異常信号と同様に扱うことを主たる特徴事項とするものである。これによれば、ＤＣ−ＤＣコンバータの不安全サイドの故障時にもＤＣ−ＤＣコンバータの出力電圧を下げて装置を保護することが可能となる。また、制御回路を共用するので、安価に実施できる。
【図面の簡単な説明】
【図１】本発明装置の回路図である。
【図２】従来装置の回路図である。
【符号の説明】
１１：交流電源
１０：整流電源
２０：ＤＣ−ＤＣコンバータ
３０：インバータ
４０：負荷回路
６０：制御回路
７０：コンバータ電圧検知回路
８０：ランプ電圧検知回路
【図１】
0004168484.tif 000002
【図２】
0004168484.tif 000003